(57)【要約】【課題】優れた温熱作用および一定方向の磁力からなる磁気作用を有し、簡便で使い心地がよい使い捨てカイロを提供する。【解決手段】磁性材料を含有する内袋または磁性材料を表面に固定した内袋を有するカイロであって、該内袋の作製ののちに、前記磁性材料に磁界を加えて着磁させる。【選択図】　　　　なし【特許請求の範囲】
【請求項１】
磁性材料を含有する内袋または磁性材料を表面に固定した内袋を有するカイロの製造方法であって、該内袋の作製ののちに、前記磁性材料に磁界を加えて着磁させるカイロの製造方法。
【請求項２】
磁性材料を含有する内袋または磁性材料を表面に固定した内袋を有するカイロを作製したのちに、前記磁性材料に磁界を加えて着磁させる請求項１記載のカイロの製造方法。
【請求項３】
磁性材料が、前記内袋の片面または両面の表面に、全面、パターン状、ドット状または文字、絵柄状に固定された請求項１または２記載のカイロの製造方法。
【請求項４】
カイロの片面または両面が通気性である請求項１、２または３記載のカイロの製造方法。
【請求項５】
請求項１、２、３または４記載の製造方法により得られるカイロ。
【発明の詳細な説明】
【０００１】
【発明の属する技術分野】
本発明は、磁気作用を有するカイロおよびその製造方法に関し、とりわけ、一定方向の磁力からなる磁気作用を有する使い捨てカイロおよびその製造方法に関する。
【０００２】
【従来の技術】
防寒および手軽さ（簡便性）を目的としたカイロの温熱作用に、磁気作用を組み合わせることにより、温熱と磁気の相乗効果で、筋肉のこりなどの身体の血行不良の患部に使用すると、患部の血行が改善されることが知られている。
【０００３】
とくに、磁気作用については、一定方向の磁力を有している場合、患部の血行改善に、より強い効果が得られる。
【０００４】
たとえば、特開昭５８−１７７６４８号公報には、カイロ内に金属製支持板などを用いて磁石を配置し、治療効果を得る技術が開示されている。しかしながら、金属支持板をなどを使用するため、嵩張る、硬いなど使い心地がわるいという問題があった。
【０００５】
一方、特開平１−２８０４７７号公報には、カイロ内に磁石を混合して血行を促進させ、治療効果を得る技術が開示されている。しかしながら、前記公報では、たとえば、直径約１ｃｍ厚さ約５ｍｍの円柱状の磁石を数個混合しており、適用する患部によっては使い心地に問題があった。
【０００６】
特開平１−２４０９７０号公報には、粉末磁石を含有するカイロが開示されている。しかしながら、前記公報では、粉末磁石を酸化促進剤と混合したのち容器に入れることによってカイロを得ており、特開平１−２８０４７７号公報と同様に、混合時や充填時に磁石が機械に付着する、磁石同士が引っ付き合う、磁石に鉄粉が引っ付く、鉄粉に偏りができるため均一な発熱が得られないという問題があった。さらに、前記公報では、カイロ内に粉末磁石を混合させるだけで固定されていないため、一定方向の磁力が得られず、磁界の強さは十分とはいえなかった。
【０００７】
このように、優れた温熱作用および磁気作用を有し、簡便で使い心地がよいカイロは、現在のところ知られていない。
【０００８】
【発明が解決しようとする課題】
本発明は、優れた温熱作用および一定方向の磁力からなる磁気作用を有し、簡便で使い心地がよい使い捨てカイロを提供することを目的とする。
【０００９】
【課題を解決するための手段】
前記課題を解決するために検討した結果、磁性材料を含有する内袋または磁性材料を表面に固定した内袋を作製したのちに、磁性材料に一定方向の磁界を加えて着磁させることにより、優れた温熱作用および一定方向の磁力からなる磁気作用を有し、簡便で使い心地がよいカイロが得られることを見いだし、本発明にいたった。
【００１０】
すなわち、本発明は、磁性材料を含有する内袋または磁性材料を表面に固定した内袋を有するカイロの製造方法であって、該内袋の作製ののちに、前記磁性材料に磁界を加えて着磁させるカイロの製造方法に関する。
【００１１】
前記カイロの製造方法において、磁性材料を含有する内袋または磁性材料を表面に固定した内袋を有するカイロを作製したのちに、前記磁性材料に磁界を加えて着磁させることが好ましい。
【００１２】
前記カイロの製造方法において、磁性材料は、前記内袋の片面または両面の表面に、全面、パターン状、ドット状または文字、絵柄状に固定されていることが好ましい。
【００１３】
前記カイロの製造方法において、カイロの片面または両面が通気性であることが好ましい。
【００１４】
また、本発明は、前記の各製造方法により得られるカイロに関する。
【００１５】
【発明の実施の形態】
本発明では、磁性材料を含有する内袋または磁性材料を表面に固定した内袋を有するカイロであって、該内袋の作製ののちに、前記磁性材料に磁界を加えて着磁させることにより、カイロを製造する。
【００１６】
前記磁性材料としては、永久磁石になるものであればとくに限定されず、たとえば強磁性を示す硬質磁性材料を用いることができる。具体的には、たとえば、Ｆｅ３Ｏ４などの鉄の酸化物；ＳｒＯ・６Ｆｅ２Ｏ３（ストロンチウムフェライト）、ＢａＯ・６Ｆｅ２Ｏ３（バリウムフェライト）などの２価の金属を含む鉄の酸化物；希土類の酸化物；ＲＣｏ５、ＲＣｏ７、Ｒ２Ｃｏ１７（Ｒ＝Ｙまたは希土類元素）または、これらの化合物のＣｏの一部をＣｕもしくはＦｅで置換した化合物；ＳｍＣｏ２、Ｓｍ２Ｃｏ１７などのサマリウムおよびコバルトの化合物；Ｎｄ２Ｆｅ１４Ｂなどのネオジウム、鉄、およびホウ素の化合物；Ｓｍ２Ｆｅ１７Ｎ３などのサマリウム、鉄およびチッ素の化合物などがあげられる。なかでも比較的安価で入手しやすいという点でストロンチウムフェライト、バリウムフェライトが好ましい。
【００１７】
本発明においては磁性材料は粉末状であることが好ましく、磁性粉末の粒子径は、５０μｍ以下、とくには５μｍ以下であることが好ましい。
【００１８】
本発明に用いられる内袋は、通気小孔または微細孔群を有する扁平状の通気性を有する袋であり、前記内袋は、少なくともその一部が通気性面であることが好ましい。すなわち、一方の面が通気性で他方の面が非通気性面であってもよいし、また両面とも通気性であってもよい。さらに、片面のうち、一部が通気性面で残りが非通気性面であってもよい。
【００１９】
前記内袋の通気性については、とくに限定はないが、通気孔の直径は内容物がこぼれない程度であればよく、たとえば３０μｍ以下程度である。また、通気量は、前記発熱剤が発熱し得る範囲であればよく、本発明においてとくに限定されるものではないが、通常、ＪＩＳ　Ｋ　７１２９に規定されているＡ法（感湿センサー法）により測定した値で５０〜３０００ｇ／ｍ２・日であり、好ましくは２００〜１３００ｇ／ｍ２・日、とくに好ましくは３００〜１０００ｇ／ｍ２・日である。
【００２０】
内袋の大きさは、本発明においてとくに限定されないが、通常、７×９〜２０×４０ｃｍの範囲の大きさのものを用いることができる。
【００２１】
本発明においては、内袋の外側の一方の面に粘着剤の層を設けて、貼るタイプのカイロとすることが好ましい。粘着剤の層を設けることにより、患部に衣服などを介して貼ることができるため、より簡便に患部に使用でき、優れた血行促進効果が得られやすい。粘着剤の層は非転着性であることが好ましい。
【００２２】
前記内袋の材質としては、前記通気性を満たすものであれば、とくに制限はないが、毛羽立たず、柔らかく、強度があり、品質が安定しており、ヒートシール性を有するものが好ましい。具体的には、たとえば、ポリウレタン、ポリプロピレンもしくはポリエチレンまたはそれらを改質したプラスチック質またはゴム質のような柔軟性の熱可塑性シートないし多孔質フィルムやアクリル樹脂などの樹脂フィルム、不織布、あるいはポリ塩化ビニル、ポリエステル、ポリエチレン、織布、紙などの単層または積層したもの、または、それらのラミネート体があげられる。本発明のカイロは、これらの材質に、前記磁性材料を組み合わせてなる。
【００２３】
内袋の外側の一方の面に、粘着剤の層を設けた場合における、内袋の構造を図２および３に例示する。
【００２４】
図２は、粘着剤層が設けられていない側の、磁性材料を有する部分の内袋の構造例であり、磁性材料１、不織布６および樹脂フィルム７からなる例示である。図２（ａ）〜（ｃ）は、磁性材料が全面に塗布された場合の構造例で、図２（ｄ）〜（ｆ）は、磁性材料が部分塗布された場合の構造例である。また、図２（ｇ）は、磁性材料が樹脂フィルム中に練り込まれてなる（樹脂フィルム＋磁性材料８）場合の構造例である。
【００２５】
図３は、粘着剤層が設けられている側の、磁性材料を有する部分の内袋の構造例であり、磁性材料１、樹脂フィルム７、粘着剤１０およびリケイ紙９からなる例示である。図３（ａ）は、磁性材料が全面に塗布された場合の構造例で、図３（ｂ）および（ｃ）は、磁性材料が部分塗布された場合の構造例である。また、図３（ｄ）は、磁性材料が樹脂フィルム中に練り込まれてなる（樹脂フィルム＋磁性材料８）場合の構造例であり、図３（ｅ）は、磁性材料が粘着剤中に練り込まれてなる（粘着剤＋磁性材料１１）場合の構造例である。実際に該カイロを使用するときは、リケイ紙を剥がして使用する。
【００２６】
磁性材料を含有する内袋としては、図２（ｇ）および図３（ｄ）、（ｅ）に記載のように、前記磁性材料が内袋の材質中に練り込まれてなる場合と、図２（ｂ）、（ｅ）および図３（ｃ）に記載のように、内袋の間に前記磁性材料を含む内袋フィルムが積層してなる場合とがあげられる。
【００２７】
磁性材料を表面に固定した内袋における表面とは、図２（ａ）、（ｃ）、（ｄ）、（ｆ）および図３（ａ）、（ｂ）に記載のとおり、内袋の外側表面だけでなく内側表面でもよい。また、図２および３は、本発明のカイロにおける内袋の構造の一例であり、内袋における表面の両面に磁性材料が固定されていてもよい。
【００２８】
つぎに、内袋の作製方法について述べる。
【００２９】
磁性材料を含有する内袋の作製方法は、前記内袋の材質、たとえば樹脂フィルム（図２（ｇ）および図３（ｄ））または粘着剤（図３（ｅ））のなかに前記磁性材料を含有させて均一に混練させたのち、通常の方法によってシート状にする。得られたシートは、磁性材料を含有している。該シートを、通常の方法によって、内袋に加工する。または、磁性材料を含有する内袋は、図２（ｂ）、（ｅ）および図３（ｃ）に示すように、磁性材料の層（磁性材料を含む内袋フィルム）を不織布や樹脂フィルム、リケイ紙などで挟むように内袋のあいだに配置させる方法によっても得られる。
【００３０】
磁性材料を表面に固定した内袋の作製方法は、前記内袋の材質を用いて、通常の方法により、内袋のシートを得る。得られたシートの表面に、前記磁性材料を固定する。
【００３１】
シートの表面に前記磁性材料を固定する方法としては、たとえば、熱可塑性樹脂中に前記磁性材料を含有させて、均一に混練する。得られた混練物を、前記内袋のシートの表面に配置していく。そののち、通常の加工方法によって、シート上に配置した混練物をシートに固定する。
【００３２】
前記熱可塑性樹脂としては、アクリル樹脂、塩化ビニル樹脂などがあげられる。
【００３３】
表面に磁性材料が固定された前記シートは、そののち、通常の方法により、内袋に加工される。
【００３４】
本発明の実施形態の一例として、図１（ａ）および図４（ｃ）では、内袋基材３の外側表面に、磁性材料１をドット状に配置し、固定した内袋５に、発熱剤２を含ませ、熱融着性フィルム４で閉じたカイロを示す（ドット状磁気カイロ１３ｃ）。ドットの大きさ、間隔については、とくに限定されない。
【００３５】
また、磁性材料を内袋の表面に固定するパターンとしては、内袋の表面に磁性材料が固定されていればよく、ドット状のほかにたとえば、図１（ｂ）および図４（ａ）に示すように、内袋の表面すべてを磁性材料１で被っていてもよい（全面磁気カイロ１３ａ）。そのほか、磁性材料１は、内袋の表面にパターン状に固定してもよく、たとえば、図４（ｂ）に示すようなストライプ状でもよいし、格子状などでもよい（パターン状磁気カイロ１３ｂ）。さらに、磁性材料は、たとえば、図４（ｄ）に示すように、文字や絵柄に固定されてもよい（文字、絵柄状磁気カイロ１３ｄ）。この場合、インクに磁性材料を混ぜて塗布する。なかでも、磁気特性を発揮しやすい点から、磁性材料を内袋の表面に固定するパターンは、ドット状に配置されることが好ましい。
【００３６】
本発明では、磁性材料を含有する内袋または磁性材料を表面に固定した内袋は、作製されたのちに外部から磁界を加えられることによって、前記磁性材料は着磁する。
【００３７】
外部から加えられる前記磁界の強さは、前記磁性材料の種類などにより異なるが、好ましくは２０００ガウス以上、より好ましくは５０００ガウス以上、さらに好ましくは１００００ガウス以上である。磁界の強さが２０００ガウス未満では減磁する傾向がある。
【００３８】
なお、装着したときの磁気効果という点で、前記磁界は、一定方向の磁力線を加えることが好ましく、とくに磁力線の方向がカイロの面に対して垂直となるように磁界を加えることが好ましい。
【００３９】
本発明における磁性材料の着磁方法の一例を図５に示す。
【００４０】
図５（ａ）は、磁性材料を有するカイロ１３をチューブ状の磁石１２のなかに通して着磁させた例示である。得られるカイロ１３は、図に示すような磁力線Ｂおよび矢印の方向の磁力方向Ａを備えたカイロが得られる。
【００４１】
一方、図５（ｂ）は、磁性材料を有するカイロ１３を２個のチューブ状の磁石１２のあいだに通して着磁させた例示である。得られるカイロ１３は、図に示すような磁力線Ｂおよび矢印の方向の磁力方向Ａを備えたカイロが得られる。
【００４２】
本発明のカイロは、前述のとおり、とくに磁力線の方向がカイロの面に対して垂直となるように磁界を加えることが好ましいことから、本発明における着磁方法としては、図５（ｂ）の方法が好ましい。
【００４３】
前記磁性材料を着磁することによって、最大で約１０００ガウスの磁力を有するカイロを得ることができるが、２００ガウス以上の磁力を有するカイロが好ましい。
【００４４】
また、前記磁性材料は、カイロの内袋の中またはカイロの内袋の表面に固定されているため、外部から一定方向の磁界を加えて着磁された場合、得られるカイロもまた、一定方向の磁力線を発する。したがって、本発明のカイロは、一定方向の磁力からなる磁気作用を有しているため、一定方向の磁力を有していない場合と比べて、より強い磁気作用が得られる。
【００４５】
本発明のカイロの組成物としては、通常使い捨てカイロとして用いられる発熱剤を用いることができる。
【００４６】
前記発熱剤としては、空気の存在下で酸化発熱するものを使用することができ、たとえば、鉄粉、活性炭、水、木粉、ヒル石、珪藻土、吸水性樹脂の混合物などがあげられるが、もちろんこれらに限定されるものではない。
【００４７】
本発明のカイロに用いる外袋としては、非通気性のものであればとくに制限はなく、ラミネートされているものでもよい。好ましいものとしては、たとえばＯＰＰ、ＣＰＰ、ポリ塩化ビニリデンなどにより防湿処理されたナイロン、ポリエステル、ポリプロピレンフィルム、さらにはアルミ箔またはアルミ蒸着されたプラスチックフィルムなどがあげられる。
【００４８】
なお、本発明のカイロの着磁の時期は、前記磁性材料を含有する内袋または前記磁性材料を表面に固定した内袋に発熱剤およびその他の成分を内包する前、内包したのち、または、外袋で密閉したのちであっても、磁界を加えて着磁させることができる。しかし、とくには、前記磁性材料を有する内袋に発熱剤およびその他の成分を内包したのち、または、さらに外袋で密閉したのち、すなわち、カイロを作製したのちが好ましい。
【００４９】
本発明の製造方法により得られるカイロは、着磁した磁性材料が内袋の中または内袋の表面に固定されているため、一定方向の磁力を有しており、優れた磁気作用を有し、温熱効果と併せて血行を促進して肩や腰などの筋肉のこりをほぐす効果を有する。磁性材料を配合せず、発熱剤の温熱作用のみによる従来のカイロであっても、血行促進をはかることができるが、温熱作用のみによって効果を得ようとする場合には、使用時の温度を高くする必要があり、火傷などの恐れがある。
【００５０】
本発明のカイロは、たとえば、平均温度４５℃以下、最高温度５０℃以下のカイロであっても、磁気作用により優れた血行促進効果を得ることができる。なお、前記温度は、ＪＩＳ　Ｓ　４１００および都条例に定められた方法で測定、算出され得る。
【００５１】
また、本発明のカイロは、発熱剤が完全に酸化されて温熱作用を失ったのちにも磁気作用を有するため、血行促進効果を持続するという効果がある。
【００５２】
本発明は、カイロに限らず、磁力を調整して、温熱作用と磁気作用を利用した様々な医療用具に適用することができる。具体的には、たとえば温熱効果をもつ医療用発熱体（たとえば、ヒトまたは動物の局部などを加温および／または保温する目的で用いられる貼るまたは貼らないタイプの医療用発熱体などの乾性温罨法方式などを含む）などにも適用することができる。
【００５３】
【実施例】
以下、実施例に基づいて本発明を詳細に説明するが、本発明はこれらのみに限定されるものではない。
【００５４】
実施例１
エステルスパンボンドと非通気性フィルムを貼り合わせたシートに、ストロンチウムフェライトからなる磁性材料を混ぜたアクリル樹脂で直径１ｍｍにドット加工して、磁性材料を表面に固定したフィルムを得た。
【００５５】
得られた、磁性材料を表面に固定したフィルムと、多孔質フィルム（通気度３５０ｇ／ｍ２・日）を用いてカイロの内袋（１３０×９５ｍｍ）を作製した。得られた内袋に、市販されている桐灰化学（株）製の商品名「きりばいはる」に使用されている発熱剤を収納して発熱体とした。ついで、発熱体のドット加工面に両面テープを貼り、外袋で密封した。
【００５６】
外袋で密封した発熱体を、図５（ｂ）に示す方法により、１００００ガウスの磁界（電磁石に２５００Ｖの電圧をかけて設定した磁界）で着磁させて、一定方向の磁力を有するカイロを得た。該カイロを、ガウスメーター（日本電磁測定器株式会社製　ＧＸＰ−１００）で測定したところ、約２００ガウスの磁力を示した。
【００５７】
比較例１
市販されている桐灰化学（株）製の商品名「きりばいはる」を比較例として用いた。なお、発熱剤の量およびカイロのサイズは、実施例１のカイロと同じとした。
【００５８】
実施例１および比較例１のカイロを用いて、以下に示す評価試験を行なった。
【００５９】
実使用比較試験
対象のカイロを、３０人の被験者に衣類の上から肩部に装着してもらい、実使用比較試験を行なった。結果を表１に示す。
【００６０】
温度特性試験
ＪＩＳ　Ｓ　４１００および都条例に定められた方法で、３０個サンプルについて温度特性を測定し、平均した結果を表２に示す。
【００６１】
血流量試験
試料
実施例１および比較例１のカイロを、それぞれ１８時間放置し、発熱終了後、試料に供した。
被験者
２人の被験者（被験者▲１▼および被験者▲２▼）において、
被験者▲１▼には、左肩に実施例１のカイロを、右肩に比較例１のカイロを貼った。
被験者▲２▼には、右腰に実施例１のカイロを、左腰に比較例１のカイロを貼った。
【００６２】
２人の被験者に、実施例１および比較例１のカイロ（発熱後のカイロ）を適用部位に６時間貼り、それぞれ使用前後における血流量をペリメド社（スウェーデン）製のレーザー血流画像化装置ＰＩＭＩＩで測定し、血流量値を求めた。数値が大きいほど血流量が多いことを示す。なお、発熱後のカイロを使用した理由は、発熱中のカイロを用いると、カイロの発熱による血流量の増加があり、磁気による効果が判別しにくいためである。実施例１のカイロを使用した部位の結果を表３に、比較例１のカイロを使用した部位の結果を表４に示す。
【００６３】
表１および２から明らかなように、実施例１のカイロと市販品のカイロでは、温度特性に大きな差異は見られなかったが、実施例１のカイロの方が比較例１のカイロよりも肩こりの緩和や肩の痛みの緩和効果があるという結果であった。
【００６４】
また、温度の持続時間についても、実施例１のカイロの方がよい傾向にある。温度特性試験の結果では持続時間にほとんど差がないにもかかわらず、実使用試験の結果において実施例１の方がよい傾向にある理由としては、発熱終了後も磁気の効果により、血行が促進されたために、持続時間が長く感じられたものと考えられる。
【００６５】
さらに、血流量試験に関する表３および４からもまた、実施例１の方が比較例１よりも血流量が改善されていることがわかる。このことは、本発明の磁性を有するカイロには、血流量を改善させる効果があることを示している。
【００６６】
【表１】
2004033588.tif 000002
【００６７】
【表２】
2004033588.tif 000003
【００６８】
【表３】
2004033588.tif 000004
【００６９】
【表４】
2004033588.tif 000005
【００７０】
【発明の効果】
本発明によれば、一定方向の磁力を有する簡便で使い心地がよいカイロが容易に得られる。また、該カイロを、血行不良の患部などに適用すると、優れた血行促進効果を得ることができる。
【図面の簡単な説明】
【図１】本発明のカイロの一実施形態を示す断面図である。
【図２】本発明のカイロの内袋における、磁性材料を有する部分の断面図である。
【図３】本発明のカイロの内袋で、粘着剤および磁性材料を有する部分の断面図である。
【図４】本発明のカイロの、磁性材料の固定パターンを示した平面図である。
【図５】本発明のカイロの着磁方法および該カイロの磁力方向を示す概念図である。
【符号の説明】
１　　磁性材料
２　　発熱剤
３　　内袋基材
４　　熱融着性フィルム
５　　内袋
６　　不織布
７　　樹脂フィルム
８　　樹脂フィルム＋磁性材料
９　　リケイ紙
１０　　粘着剤
１１　　粘着剤＋磁性材料
１２　　磁石
１３　　カイロ
１３ａ　全面磁気カイロ
１３ｂ　パターン状磁気カイロ
１３ｃ　ドット状磁気カイロ
１３ｄ　文字、絵柄状磁気カイロ
Ａ　　磁力方向
Ｂ　　磁力線
【図１】
2004033588.tif 000006
【図２】
2004033588.tif 000007
【図３】
2004033588.tif 000008
【図４】
2004033588.tif 000009
【図５】
2004033588.tif 000010